(57)【要約】【課題】大容量のフレームメモリを必要とせず、表示品位の低下を最小限に留めつつ、縦クロストークを抑圧する。【解決手段】データ線３４と、データ線３４に対応して設けられる画素回路ＰXと、表示期間Ｆのうち単位期間Ｐ１において、画素回路ＰXに対応する画素が黒表示となるように電気光学装置１を制御し、表示期間Ｆのうち単位期間Ｐ１に続く単位期間Ｐ２において、単位期間Ｐ１の開始から現在までに供給された入力画像データＤinに基づいて、現在の入力画像データＤinを補正して画像データＤxを生成するとともに、生成した画像データＤxに基づいて画像信号ＶD[n]を生成し、生成した画像信号ＶD[n]を、データ線３４を介して画素回路ＰXに供給する表示制御回路５０と、を備える、ことを特徴とする、電気光学装置１。【選択図】図１
2014178408.tif 000002
【特許請求の範囲】
【請求項１】
データ線と、前記データ線に対応して設けられる画素回路と、
を具備する電気光学装置の制御方法であって、
表示期間のうち第１の単位期間において、
前記画素回路に対応する画素が黒表示となるように前記電気光学装置を制御し、
前記表示期間のうち前記第１の単位期間に続く第２の単位期間において、
前記表示期間の開始から現在までに供給された入力画像データに基づいて、現在の入力画像データを補正して画像データを生成するとともに、前記画像データに基づいて前記画像信号を生成し、生成した画像信号を、前記データ線を介して前記画素回路に供給する、
ことを特徴とする、電気光学装置の制御方法。
【請求項２】
前記表示期間は、
前記第１の単位期間、前記第２の単位期間、前記第２の単位期間に続く第３の単位期間、及び、前記第３の単位期間に続く第４の単位期間を含み、
前記表示期間のうち、前記第３の単位期間、及び、前記第４の単位期間において、
前記表示期間の開始から現在までに供給された入力画像データに基づいて、前記現在の入力画像データを補正して画像データを生成するとともに、前記画像データに基づいて前記画像信号を生成し、生成した画像信号を、前記データ線を介して前記画素回路に供給する、
ことを特徴とする、請求項１に記載の電気光学装置の制御方法。
【請求項３】
データ線と、前記データ線に対応して設けられる画素回路と、光源と、を具備する電気光学装置に備えられ、前記データ線を介して前記画素回路に画像信号を供給するとともに、前記光源の動作を制御する表示制御回路であって、
表示期間のうち第１の単位期間において、前記光源をオフさせ、前記表示期間のうち前記第１の単位期間に続く第２の単位期間において、前記光源をオンさせるように、前記光源の動作を制御する光源制御部と、
前記第２の単位期間において、前記表示期間の開始から現在までに供給された入力画像データに基づいて、前記データ線に供給される前記画像信号の電圧を１単位期間だけ過去から現在まで積分した積分値に対応する積算データを生成する積算部と、
前記第２の単位期間において、前記積算データに基づいて、前記現在の入力画像データを補正して画像データを生成する補正部と、
前記画像データに基づいて前記画像信号を生成し、生成した前記画像信号を、前記データ線を介して前記画素回路に供給する駆動部と、
を備える、
ことを特徴とする、表示制御回路。
【請求項４】
前記表示期間は、
前記第１の単位期間、前記第２の単位期間、前記第２の単位期間に続く第３の単位期間、及び、前記第３の単位期間に続く第４の単位期間を含み、
前記光源制御部は、
前記第２の単位期間の開始から前記第４の単位期間の終了までの期間において、前記光源をオン状態に維持するように、前記光源の動作を制御し、
前記積算部は、
前記第３の単位期間、及び、前記第４の単位期間において、前記表示期間の開始から現在までに供給された入力画像データに基づいて、前記データ線に供給される前記画像信号の電圧を１単位期間だけ過去から現在まで積分した積分値に対応する積算データを生成し、
前記補正部は、
前記第３の単位期間、及び、前記第４の単位期間において、前記積算データに基づいて、前記現在の入力画像データを補正して画像データを生成する、
ことを特徴とする、請求項３に記載の表示制御回路。
【請求項５】
前記補正部は、
前記第１の単位期間において、現在の入力画像データに基づいて画像データを生成し、
前記駆動部は、
前記表示期間において、所定周期で基準レベルを中心として信号の極性が反転するように前記画像信号を生成し、
前記積算部は、
前記表示期間において、前記画像信号の極性に応じて前記入力画像データの加算及び減算の一方を実行することで、前記表示期間の開始から現在までの前記入力画像データを積算して、前記積算データを生成する、
ことを特徴とする、請求項３または４に記載の表示制御回路。
【請求項６】
前記所定周期は、前記単位期間の周期であり、
前記積算部は、
前記積算データを記憶する記憶部と、
前記第１の単位期間において、現在の入力画像データと前記記憶部から読み出したデータとを加算して得られたデータを前記記憶部に書き込むことによって、前記記憶部の記憶内容を更新し、
前記表示期間のうち、前記第１の単位期間の終了後の期間において、前記記憶部から読み出した前記積算データと、現在の入力画像データと、に基づいて算出した新たな積算データを前記記憶部に書き込むことによって前記記憶部の記憶内容を更新し、
前記表示期間の終了時において、前記記憶部の記憶内容を初期化する演算部と、
を備え、
前記駆動部は、
前記単位期間ごとに前記画像信号の極性を反転させる、
ことを特徴とする、請求項５に記載の表示制御回路。
【請求項７】
前記駆動部は、
一の表示期間の第１の単位期間における前記画像信号の極性、及び、前記一の表示期間に続く他の表示期間の第１の単位期間における前記画像信号の極性が、逆極性となるように、前記画像信号を生成する、
ことを特徴とする、請求項６に記載の表示制御回路。
【請求項８】
前記第１の単位期間は、
第１部分期間及び第２部分期間とからなり、
前記駆動部は、
前記第１部分期間において、前記画像信号を前記データ線に供給し、
前記第２部分期間において、所定のプリチャージ電位を前記データ線に供給する、
ことを特徴とする、請求項３乃至７のうち何れか１項に記載の表示制御回路。
【請求項９】
前記光源制御部は
前記第２の単位期間が開始すると、前記光源の輝度が所定の輝度を超えて高くなり、前記第２の単位期間の開始から所定の時間が経過すると、前記光源の輝度が前記所定の輝度に収束するように、前記光源をオンさせる、
ことを特徴とする、請求項３乃至８のうち何れか１項に記載の表示制御回路。
【請求項１０】
データ線と、前記データ線に対応して設けられる画素回路と、を具備する表示装置に備えられ、前記データ線を介して前記画素回路に画像信号を供給する表示制御回路であって、
表示期間のうち第１の単位期間に続く第２の単位期間において、
前記表示期間の開始から現在までに供給された入力画像データに基づいて、前記表示期間の開始から現在までの前記入力画像データを積算した積算データを生成する積算部と、
前記第１の単位期間において、前記画素回路に対応する画素が黒表示となる前記画像信号に対応する画像データを生成し、前記第２の単位期間において、前記積算データに基づいて、前記現在の入力画像データを補正して画像データを生成する補正部と、
前記画像データに基づいて前記画像信号を生成し、生成した画像信号を、前記データ線を介して前記画素回路に供給する駆動部と、
を備える、
ことを特徴とする、表示制御回路。
【請求項１１】
前記表示期間は、
前記第１の単位期間、前記第２の単位期間、前記第２の単位期間に続く第３の単位期間、及び、前記第３の単位期間に続く第４の単位期間を含み、
前記積算部は、
前記第３の単位期間、及び、前記第４の単位期間において、前記表示期間の開始から現在までに供給された入力画像データに基づいて、前記データ線に供給される前記画像信号の電圧を１単位期間だけ過去から現在まで積分した積分値に対応する積算データを生成し、
前記補正部は、
前記第３の単位期間、及び、前記第４の単位期間において、前記積算データに基づいて、前記現在の入力画像データを補正して画像データを生成する、
ことを特徴とする、請求項１０に記載の表示制御回路。
【請求項１２】
請求項３乃至９のうち何れか１項に記載の表示制御回路と、
データ線と、前記データ線に対応して設けられる画素回路と、光源と、
を具備する電気光学装置であって、
前記画素回路は、液晶素子を備え、
前記光源は、オン状態において所定の輝度で発光し、
前記第２の単位期間において、前記光源の輝度が前記所定の輝度となる時刻は、前記画素回路に対応する画素の透過率が前記画像信号に対応する透過率となる時刻よりも早い、
ことを特徴とする、電気光学装置。
【請求項１３】
データ線と、前記データ線に対応して設けられる画素回路と、
表示期間のうち第１の単位期間において、
前記画素回路に対応する画素が黒表示となるように前記電気光学装置を制御し、
前記表示期間のうち前記第１の単位期間に続く第２の単位期間において、
前記表示期間の開始から現在までに供給された入力画像データに基づいて、現在の入力画像データを補正して画像データを生成するとともに、前記画像データに基づいて前記画像信号を生成し、生成した画像信号を、前記データ線を介して前記画素回路に供給する表示制御回路と、
を備える、
ことを特徴とする、電気光学装置。
【請求項１４】
請求項３乃至請求項１１のうち何れか１項に記載の表示制御回路を有する電気光学装置、または、請求項１２もしくは請求項１３に記載の電気光学装置を具備する電子機器。
【発明の詳細な説明】
【技術分野】
【０００１】
本発明は、表示制御回路、電気光学装置、電子機器、及び、電気光学装置の制御方法に関連する。
【背景技術】
【０００２】
電気エネルギーによって光学特性が変化する電気光学素子を備えた電気光学装置の一例として液晶表示装置が知られている。液晶表示装置は、複数のデータ線と複数の走査線を備え、データ線と走査線との交差に対応して画素回路が設けられている。画素回路は、選択トランジスターと電気光学素子たる液晶素子とを含む。選択トランジスターは走査線を介して供給される走査信号に応じてオン状態とオフ状態が制御される。選択トランジスターがオン状態になると、データ線を介して供給される画像信号が液晶素子に印加され、選択トランジスターがオフになると、液晶素子に画像信号の電圧が保持される。即ち、画素回路に画像信号を書き込んでから次に画像信号を書き込むまでの間は、最初に書き込んだ画像信号の電圧が液晶素子に保持され、液晶素子は画像信号の電圧に応じた透過率に制御される。電気光学装置の駆動では、複数の走査線を順番に選択し、選択した走査線に対応する画素回路にデータ線を介して画像信号を書き込む。このため、データ線の電圧は、水平走査期間ごとに変化する。
ところで、データ線と液晶素子とは、浮遊容量によって容量結合している。このため、ある走査線に対応する画素回路に画像信号を書き込んでから、次に画像信号を書き込むまでの期間において、データ線の電圧が変動すると、容量カップリングによって液晶素子で保持する画像信号の電圧が変動してしまう。この結果、表示画像の品質が劣化する。特に、液晶表示装置においては、基準レベルを中心として画像信号の極性を所定周期（例えば、１フィールド）で反転する極性反転駆動を採用する。このため、データ線の電圧が大きく変動し、いわゆる縦クロストークと呼ばれる現象が発生することがある。
そこで、縦クロストークを改善するため、大容量のメモリに１フィールド分の画像データを記憶し、メモリに蓄積した１フィールド分の画像データに基づいて縦クロストークを補正する、いわゆる縦クロストーク補正に関する技術が知られている（例えば、特許文献１及び２）。
さらに、第１フィールドと第２フィールドで同じ画像を表示する液晶表示装置において、小容量のメモリを２つ用い、第１フィールドについては縦クロストーク補正を実行せず、第２フィールドについてのみ縦クロストーク補正する技術が知られている（例えば、特許文献３）。
【先行技術文献】
【特許文献】
【０００３】
【特許文献１】特開２００３−３３００９３号公報
【特許文献２】特許３８６９４６４号公報
【特許文献３】特許４８１６０３１号公報
【発明の概要】
【発明が解決しようとする課題】
【０００４】
しかし、特許文献１及び２の技術では、大容量のメモリが必要になるため、回路規模が増大するとともに、歩留まり及び信頼性が低下するといった問題がある。
また、特許文献３に記載された技術は、第１フィールドにおいて縦クロストーク補正を実行しないため、第２フィールドで実行される縦クロストーク補正における補正量を、第１フィールド及び第２フィールドの両方で縦クロストーク補正を行う場合における補正量と比較して大きくしている。その結果、縦クロストーク補正の対象となる画素において、第１フィールド及び第２フィールドの間での輝度差に起因したフリッカが生じ、表示品位が低下するという問題があった。
【０００５】
本発明は上述した事情に鑑みてなされたものあり、大容量のフレームメモリを必要とせず、表示品位の低下を最小限に留めつつ、縦クロストークを抑圧することを解決課題とする。
【課題を解決するための手段】
【０００６】
以上の課題を解決するために、本発明に係る電気光学装置の制御方法は、データ線と、前記データ線に対応して設けられる画素回路と、を具備する電気光学装置の制御方法であって、表示期間のうち第１の単位期間において、前記画素回路に対応する画素が黒表示となるように前記電気光学装置を制御し、前記表示期間のうち前記第１の単位期間に続く第２の単位期間において、前記表示期間の開始から現在までに供給された入力画像データに基づいて、現在の入力画像データを補正して画像データを生成するとともに、前記画像データに基づいて前記画像信号を生成し、生成した画像信号を、前記データ線を介して前記画素回路に供給する、ことを特徴とする。
【０００７】
この発明によれば、極性反転駆動等の縦クロストークの発生する可能性が高い場合においても、第２の単位期間において、表示期間の開始から現在までに供給された入力画像データに基づいて現在の画像データを補正するため、縦クロストークの発生を抑制することができる。また、この発明では、第１の単位期間において画面を黒表示とするため、一部の画素において第１の単位期間及び第２の単位期間の間の輝度差が生じるという状況の発生を抑制することができ、その結果としてフリッカの発生を抑制することができる。また、この発明では、第２の単位期間においてのみ補正を行えばよいので、第１の単位期間及び第２の単位期間の双方で補正を行う場合と比較して回路規模及び製造コストを低減することができる。
なお、この発明において、「黒表示」とは、光源（バックライト）をオフ状態にすることであってもよいし、画素に対して黒表示に対応する階調を指定する画像信号を供給することであってもよい。
【０００８】
また、上述した電気光学装置の制御方法において、前記第１の単位期間、前記第２の単位期間、前記第２の単位期間に続く第３の単位期間、及び、前記第３の単位期間に続く第４の単位期間を含み、前記表示期間のうち、前記第３の単位期間、及び、前記第４の単位期間において、前記表示期間の開始から現在までに供給された入力画像データに基づいて、前記現在の入力画像データを補正して画像データを生成するとともに、前記画像データに基づいて前記画像信号を生成し、生成した画像信号を、前記データ線を介して前記画素回路に供給する、ことを特徴とするものであってもよい。
【０００９】
また、本発明に係る表示制御回路は、データ線と、前記データ線に対応して設けられる画素回路と、光源と、を具備する電気光学装置に備えられ、前記データ線を介して前記画素回路に画像信号を供給するとともに、前記光源の動作を制御する表示制御回路であって、表示期間のうち第１の単位期間において、前記光源をオフさせ、前記表示期間のうち前記第１の単位期間に続く第２の単位期間において、前記光源をオンさせるように、前記光源の動作を制御する光源制御部と、前記第２の単位期間において、前記表示期間の開始から現在までに供給された入力画像データに基づいて、前記データ線に供給される前記画像信号の電圧を１単位期間だけ過去から現在まで積分した積分値に対応する積算データを生成する積算部と、前記第２の単位期間において、前記積算データに基づいて、前記現在の入力画像データを補正して画像データを生成する補正部と、前記画像データに基づいて前記画像信号を生成し、生成した前記画像信号を、前記データ線を介して前記画素回路に供給する駆動部と、を備える、ことを特徴とする。
【００１０】
この発明によれば、極性反転駆動等の縦クロストークの発生する可能性が高い場合においても、第２の単位期間において、画像信号の１単位期間分の積分値である積算データに基づいて現在の画像データを補正するため、縦クロストークの発生を抑制することができる。
また、この発明では、第１の単位期間において光源をオフさせるため、光源の劣化及び画素回路等の劣化を抑制し、電気光学装置の長寿命化を可能にすることができる。また、第１の単位期間において光源をオフさせるため、一部の画素において第１の単位期間及び第２の単位期間の間の輝度差が生じるという状況の発生を抑制することができ、その結果としてフリッカの発生を抑制することができる。
また、この発明では、第２の単位期間においてのみ補正を行えばよいので、第１の単位期間及び第２の単位期間の双方で補正を行う場合と比較して回路規模及び製造コストを低減することができる。
【００１１】
また、上述した表示制御回路において、前記表示期間は、前記第１の単位期間、前記第２の単位期間、前記第２の単位期間に続く第３の単位期間、及び、前記第３の単位期間に続く第４の単位期間を含み、前記光源制御部は、前記第２の単位期間の開始から前記第４の単位期間の終了までの期間において、前記光源をオン状態に維持するように、前記光源の動作を制御し、前記積算部は、前記第３の単位期間、及び、前記第４の単位期間において、前記表示期間の開始から現在までに供給された入力画像データに基づいて、前記データ線に供給される前記画像信号の電圧を１単位期間だけ過去から現在まで積分した積分値に対応する積算データを生成し、前記補正部は、前記第３の単位期間、及び、前記第４の単位期間において、前記積算データに基づいて、前記現在の入力画像データを補正して画像データを生成する、ことを特徴とするものであってもよい。
【００１２】
また、上述した表示制御回路において、前記補正部は、前記第１の単位期間において、現在の入力画像データに基づいて画像データを生成し、前記駆動部は、前記表示期間において、所定周期で基準レベルを中心として信号の極性が反転するように前記画像信号を生成し、前記積算部は、前記表示期間において、前記画像信号の極性に応じて前記入力画像データの加算及び減算の一方を実行することで、前記表示期間の開始から現在までの前記入力画像データを積算して、前記積算データを生成する、ことを特徴とするものであってもよい。
【００１３】
この態様によれば、所定周期で信号の極性を反転させる極性反転駆動を採用するため、焼き付き等の発生を防止することができる。
また、極性反転駆動を採用すると、縦クロストークが発生する可能性が高くなるが、第２の単位期間において、画像信号の１単位期間分の積分値である積算データに基づいて現在の画像データを補正するため、縦クロストークの発生を抑制することができる。
【００１４】
また、上述した表示制御回路において、前記所定周期は、前記単位期間の周期であり、前記積算部は、前記積算データを記憶する記憶部と、前記第１の単位期間において、現在の入力画像データと前記記憶部から読み出したデータとを加算して得られたデータを前記記憶部に書き込むことによって、前記記憶部の記憶内容を更新し、前記表示期間のうち、前記第１の単位期間の終了後の期間において、前記記憶部から読み出した前記積算データと、現在の入力画像データと、に基づいて算出した新たな積算データを前記記憶部に書き込むことによって前記記憶部の記憶内容を更新し、前記表示期間の終了時において、前記記憶部の記憶内容を初期化する演算部と、を備え、前記駆動部は、前記単位期間ごとに前記画像信号の極性を反転させる、ことを特徴とするものであってもよい。
【００１５】
また、上述した表示制御回路において、前記駆動部は、一の表示期間の第１の単位期間における前記画像信号の極性、及び、前記一の表示期間に続く他の表示期間の第１の単位期間における前記画像信号の極性が、逆極性となるように、前記画像信号を生成する、ことを特徴とするものであってもよい。
【００１６】
また、上述した表示制御回路において、前記第１の単位期間は、第１部分期間及び第２部分期間とからなり、前記駆動部は、前記第１部分期間において、前記画像信号を前記データ線に供給し、前記第２部分期間において、所定のプリチャージ電位を前記データ線に供給する、ことを特徴とするものであってもよい。
【００１７】
また、上述した表示制御回路において、前記光源制御部は、前記第２の単位期間が開始すると、前記光源の輝度が所定の輝度を超えて高くなり、前記第２の単位期間の開始から所定の時間が経過すると、前記光源の輝度が前記所定の輝度に収束するように、前記光源をオンさせる、ことを特徴とするものであってもよい。
この態様によれば、第１の単位期間において光源をオフさせる場合であっても、第２の単位期間の開始から所定の時間が経過するまでの間に光源の輝度が所定の輝度を超えるため、表示期間の全体における光源の輝度の平均値を、第１の単位期間及び第２の単位期間の両方において光源をオンする場合の輝度の平均値に近づけることができ、画面が暗くなることを防止することができる。
【００１８】
また、本発明に係る表示制御回路は、データ線と、前記データ線に対応して設けられる画素回路と、を具備する表示装置に備えられ、前記データ線を介して前記画素回路に画像信号を供給する表示制御回路であって、表示期間のうち第１の単位期間に続く第２の単位期間において、前記表示期間の開始から現在までに供給された入力画像データに基づいて、前記表示期間の開始から現在までの前記入力画像データを積算した積算データを生成する積算部と、前記第１の単位期間において、前記画素回路に対応する画素が黒表示となる前記画像信号に対応する画像データを生成し、前記第２の単位期間において、前記積算データに基づいて、前記現在の入力画像データを補正して画像データを生成する補正部と、前記画像データに基づいて前記画像信号を生成し、生成した画像信号を、前記データ線を介して前記画素回路に供給する駆動部と、を備える、ことを特徴とする。
【００１９】
また、上述した表示制御回路において、前記表示期間は、前記第１の単位期間、前記第２の単位期間、前記第２の単位期間に続く第３の単位期間、及び、前記第３の単位期間に続く第４の単位期間を含み、前記積算部は、前記第３の単位期間、及び、前記第４の単位期間において、前記表示期間の開始から現在までに供給された入力画像データに基づいて、前記データ線に供給される前記画像信号の電圧を１単位期間だけ過去から現在まで積分した積分値に対応する積算データを生成し、前記補正部は、前記第３の単位期間、及び、前記第４の単位期間において、前記積算データに基づいて、前記現在の入力画像データを補正して画像データを生成する、ことを特徴とするものであってもよい。
【００２０】
また、本発明に係る電気光学装置は、上述した表示制御回路と、データ線と、前記データ線に対応して設けられる画素回路と、光源と、を具備する電気光学装置であって、前記画素回路は、液晶素子を備え、前記光源は、オン状態において所定の輝度で発光し、前記第２の単位期間において、前記光源の輝度が前記所定の輝度となる時刻は、前記画素回路に対応する画素の透過率が前記画像信号に対応する透過率となる時刻よりも早い、ことを特徴とする。
【００２１】
また、本発明に係る電気光学装置は、データ線と、前記データ線に対応して設けられる画素回路と、表示期間のうち第１の単位期間において、前記画素回路に対応する画素が黒表示となるように前記電気光学装置を制御し、前記表示期間のうち前記第１の単位期間に続く第２の単位期間において、前記表示期間の開始から現在までに供給された入力画像データに基づいて、現在の入力画像データを補正して画像データを生成するとともに、前記画像データに基づいて前記画像信号を生成し、生成した画像信号を、前記データ線を介して前記画素回路に供給する表示制御回路と、を備える、ことを特徴とする。
【００２２】
また、本発明に係る電子機器は、上記のうち何れかの表示制御回路を備える電気光学装置、または、上記のうち何れかの電気光学装置を備えることを特徴とする。このような電子機器として、カーナビゲーション装置、パーソナルコンピュータ、テレビ、投射型表示装置、及び、携帯電話等が該当する。
【図面の簡単な説明】
【００２３】
【図１】本発明の第１実施形態に係る電気光学装置のブロック図である。
【図２】画素回路の回路図である。
【図３】信号生成回路の構成を示すブロック図である。
【図４】信号生成回路の動作を説明するためのタイミングチャートである。
【図５】記憶部に記憶される積算データを説明するための説明図である。
【図６】積算データを更新する処理を説明するための説明図である。
【図７】縦クロストーク補正を説明するための説明図である。
【図８】対比例１に係る信号生成回路の動作を説明するタイミングチャートである。
【図９】縦クロストーク補正を説明するための説明図である。
【図１０】本発明の第２実施形態に係る信号生成回路の動作を説明するためのタイミングチャートである。
【図１１】光源及び液晶の動作を説明するためのタイミングチャートである。
【図１２】対比例２に係る光源及び液晶の動作を説明するためのタイミングチャートである。
【図１３】変形例１に係る信号生成回路の動作を説明するタイミングチャートである。
【図１４】変形例３に係る信号生成回路の動作を説明するタイミングチャートである。
【図１５】変形例３に係る信号生成回路の動作を説明するタイミングチャートである。
【図１６】対比例４に係る光源及び液晶の動作を説明するためのタイミングチャートである。
【図１７】電子機器（投射型表示装置）の斜視図である。
【図１８】電子機器（パーソナルコンピュータ）の斜視図である。
【図１９】電子機器（携帯電話機）の斜視図である。
【発明を実施するための形態】
【００２４】
以下、本発明を実施するための形態について図面を参照して説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２５】
＜Ａ．第１実施形態＞
図１は、本発明の第１実施形態に係る電気光学装置１のブロック図である。電気光学装置１は、電気光学パネル１０と信号生成回路２０とを具備する。電気光学パネル１０は、複数の画素回路ＰXが配列された表示部３０と、各画素回路ＰXを駆動する駆動回路４０と、光源１２と、を含む。なお、信号生成回路２０及び駆動回路４０を、表示制御回路５０と総称する。
【００２６】
表示部３０には、ｘ方向に延在するＭ本の走査線３２と、ｘ方向に交差するｙ方向に延在するＮ本のデータ線３４とが形成される（ＭおよびＮは自然数）。複数の画素回路ＰXは、表示部３０において、走査線３２とデータ線３４との各交差に対応して縦Ｍ行×横Ｎ列の行列状に配列される。なお、本実施形態において、画素回路ＰXは、Ｍ本の走査線３２及びＮ本のデータ線３４によるＭ×Ｎ個の交差の全てに配置されるが、これらＭ×Ｎ個の交差のうち一部に配置されるものであっても構わない。
【００２７】
駆動回路４０は、各画素回路ＰXに対応する画素の表示階調を制御する画像信号ＶD[n]を各画素回路ＰXに供給する回路であり、走査線駆動回路４２とデータ線駆動回路４４とを具備する。
走査線駆動回路４２は、各走査線３２に対応する走査信号Ｙ[1]〜Ｙ[M]の供給で各走査線３２を順次に選択する。走査信号Ｙ[m]（ｍ＝１〜Ｍ）が所定の選択電位に設定される（すなわち第ｍ行の走査線３２が選択される）ことで第ｍ行の走査線３２が選択される。
データ線駆動回路４４は、走査線駆動回路４２による走査線３２の選択に同期してＮ本のデータ線３４の各々に画像信号ＶD[1]〜ＶD[N]を供給する。画像信号ＶD[n]（ｎ＝１〜Ｎ）は、後述する入力画像データＤinが各画素回路ＰXに対応する画素に対して指定する表示階調に応じて可変に設定される。
本実施形態では、いわゆる焼き付きを防止するため、後述する液晶素子６０に印加する電圧の極性を所定周期で反転させる極性反転駆動を採用する。この例では、画像信号ＶD[n]の信号レベルを、所定の基準電位Ｖrefを中心として単位期間毎に反転させる。
ここで、単位期間とは、画素回路ＰXを駆動する動作の１単位となる期間である。本実施形態では、単位期間は垂直走査期間となっている。但し、単位期間は任意に設定することができ、例えば、垂直走査期間の自然数倍であってもよい。
【００２８】
光源１２は、例えば、ＬＥＤ（Light Emitting Diode）を用いて構成される。この光源１２は、電気光学パネル１０を観察側から平面視したときに、表示部３０と重なる位置に設けられている。なお、図１では、記載の都合上、図において表示部３０よりも下側に図示している。
【００２９】
図２は、各画素回路ＰXの回路図である。図２に示すように、各画素回路ＰXは、液晶素子６０と選択スイッチＳWとを含む。液晶素子６０は、相互に対向する画素電極６２および共通電極６４と両電極間の液晶６６とで構成された電気光学素子である。画素電極６２と共通電極６４との間の印加電圧に応じて液晶６６の透過率（表示階調）が変化する。なお、液晶素子６０に並列に補助容量を接続した構成も採用され得る。選択スイッチＳWは、例えば、走査線３２にゲートが接続されたＮチャネル型のトランジスターで構成され、液晶素子６０とデータ線３４との間に設けられ両者の電気的な接続（導通／絶縁）を制御する。走査信号Ｙ[m]が選択電位に設定されることで第ｍ行の各画素回路ＰXにおける選択スイッチＳWが同時にオン状態に遷移する。
【００３０】
画素回路ＰXに対応する走査線３２が選択され、当該画素回路ＰXの選択スイッチＳWがオン状態に制御されたとき、当該画素回路ＰXの液晶素子６０には、データ線３４から当該画素回路ＰXに供給される画像信号ＶD[n]に応じた電圧が印加され、当該画素回路ＰXの液晶６６は、画像信号ＶD[n]に応じた透過率に設定される。また、光源１２がオン（点灯）状態となり、光源１２から光が出射されると、当該光は、画素回路ＰXが備える液晶素子６０の液晶６６を透過して、観察者側に進行する。すなわち、液晶素子６０に画像信号ＶD[n]に応じた電圧が印加され、且つ、光源１２がオン状態となることで、当該画素回路ＰXに対応する画素は、画像信号ＶD[n]に応じた階調を表示することになる。
【００３１】
画素回路ＰXの液晶素子６０に画像信号ＶD[n]に応じた電圧が印加された後、選択スイッチＳWがオフ状態となると、理想的には当該画像信号ＶD[n]に対応する印加電圧が保持される。従って、理想的には、各画素は、選択スイッチＳWがオン状態となった後から、次にオン状態となるまでの期間において、画像信号ＶD[n]に応じた階調を表示する。
しかし、実際には図２に示すように、データ線３４と画素電極６２との間（または、データ線３４と、画素電極６２及び選択スイッチＳWを電気的に接続する配線との間）には、容量Ｃａが寄生する。そのため、選択スイッチＳWがオフ状態である間に、データ線３４の電位変動が容量Ｃａを介して画素電極６２に伝播し、液晶素子６０の印加電圧が変動することがある。この場合には、当該画素は、画像信号ＶD[n]に応じた階調を正確に表示できなくなる。
【００３２】
説明を図１に戻す。
図１に示すように、信号生成回路２０には、図示省略した上位装置から、入力画像データＤinが、同期信号に同期して供給される。
ここで、入力画像データＤinとは、各画素回路ＰXに対応する画素で表示すべき階調を規定するデータである。例えば、入力画像データＤinは、各画素で表示すべき階調を８ビットで規定するデジタルデータである。なお、以下では、入力画像データＤinのうち、第ｎ列に位置するＭ個の画素回路ＰXに対して階調を指定する入力画像データＤinを、入力画像データＤin[n]と表記し、第ｍ行第ｎ列に位置する１個の画素回路ＰXに対して階調を指定する入力画像データＤinを、入力画像データＤin[m][n]と表記する場合がある。
また、同期信号とは、例えば、垂直同期信号、水平同期信号、及び、ドットクロック信号を含む信号である。
【００３３】
信号生成回路２０は、上位装置から供給される同期信号に基づいて、電気光学パネル１０の動作を制御するための信号である制御信号Ｃtrを生成し、生成した制御信号Ｃtrを駆動回路４０に供給する。ここで、制御信号Ｃtrとは、例えば、パルス信号や、クロック信号、イネーブル信号等を含む信号である。なお、制御信号Ｃtrは、後述する極性信号Ｐを含むものであってもよい。
また、信号生成回路２０は、入力画像データＤinに基づいて、画像データＤxを生成し、これをデータ線駆動回路４４に対して供給する。本実施形態では、画像データＤxは、デジタルの信号であるが、アナログの信号であってもよい。なお、以下では、画像データＤxのうち、入力画像データＤin[n]に基づいて生成される画像データＤxを、画像データＤx[n]と表記し、入力画像データＤin[m][n]に基づいて生成される画像データＤxを、画像データＤx[m][n]と表記する場合がある。
また、信号生成回路２０は、同期信号に基づいて生成される信号に基づいて、光源１２の動作を制御するための光源制御信号Ｌcを生成し、これを光源１２に供給する。
【００３４】
図３は、信号生成回路２０の構成を示す機能ブロック図である。この図に示すように、信号生成回路２０は、制御部２１、光源制御部２２、積算部２３、及び、補正部２６を備える。
制御部２１は、上位装置から供給される同期信号に基づいて、制御信号Ｃtrを生成して、これを駆動回路４０に供給するとともに、生成した制御信号Ｃtrまたは同期信号に基づいて、リセット信号ＲESを生成する。リセット信号ＲESとは、後述する記憶部２５の記憶内容を初期化するための信号である。また、制御部２１は、制御信号Ｃtrまたは同期信号に基づいて、画像信号ＶD[n]の極性を表す信号である極性信号Ｐを生成する。
光源制御部２２は、制御部２１が生成する極性信号Ｐ（または、制御信号Ｃtr）に基づいて、光源制御信号Ｌcを生成して、これを光源１２に供給する。
【００３５】
積算部２３は、Ｎ本のデータ線３４の各々に対応する積算データＤS[1]〜ＤS[N]を生成する。積算データＤS[n]（ｎ＝１〜Ｎ）は、入力画像データＤinのうち、ｎ列目の画素回路ＰXに対応する入力画像データＤin[n]に対して縦クロストーク補正を施す際に用いられるデータである。なお、入力画像データＤin[n]は、入力画像データＤin[1][n]〜Ｄin[M] [n]からなる。そのため、以下では、積算データＤS[n]のうち、入力画像データＤin[m][n]に対応する積算データＤS[n]を積算データＤS[m][n]と表記する場合がある。
【００３６】
積算部２３は、積算データＤS[1]〜ＤS[N]を記憶する記憶部２５と、演算部２４とを備える。
演算部２４は、入力画像データＤin[n]と、制御部２１から供給される極性信号Ｐとに基づいて、記憶部２５が記憶する積算データＤS[n]を更新し、当該更新された積算データＤS[n]を出力する。また、演算部２４は、制御部２１から供給されるリセット信号ＲESに基づいて、記憶部２５の記憶内容を初期化する。
なお、積算部２３において実行される積算データＤS[n]の更新及び初期化についての詳細は、後述する。
【００３７】
補正部２６は、極性信号Ｐの示す画像信号ＶD[n]の極性が負極性である場合には、積算データＤS[n]に基づいて入力画像データＤin[n]に対して縦クロストーク補正を施すことで、画像データＤx[n]を生成する。より具体的には、補正部２６は、極性信号Ｐの示す極性が負極性である場合、積算データＤS[m][n]に基づいて、入力画像データＤin[m][n]に対して縦クロストーク補正を施すことで、画像データＤx[m][n]を生成する。
一方、補正部２６は、極性信号Ｐの示す極性が正極性である場合には、縦クロストーク補正を施さずに、入力画像データＤin[n]に基づいて画像データＤx[n]を生成する。
【００３８】
図４は、信号生成回路２０の動作を示すタイミングチャートである。
この図に示すように、電気光学装置１の動作期間は、複数の表示期間Ｆからなる。各表示期間Ｆは、所定長の単位期間Ｐ１（「第１の単位期間」の一例）と、単位期間Ｐ１に続く所定長の単位期間Ｐ２（「第２の単位期間」の一例）と、に区分される。
【００３９】
また、上述のとおり、データ線駆動回路４４は、単位期間毎に信号レベルを所定の基準電位Ｖrefを中心として反転させた画像信号ＶD[n]を、画像データＤx[n]に基づいて生成する。より具体的には、データ線駆動回路４４は、単位期間Ｐ１において、所定の基準電位Ｖrefに対して高電圧となる正極性の画像信号ＶD[n]を生成し、単位期間Ｐ２において、所定の基準電位Ｖrefに対して低電圧となる負極性の画像信号ＶD[n]を生成する。
制御部２１が生成する極性信号Ｐは、このような画像信号ＶD[n]の極性を表す。すなわち、極性信号Ｐがハイレベルの場合、画像信号ＶD[n]は正極性となり、極性信号Ｐがローレベルの場合、画像信号ＶD[n]は負極性となる。
【００４０】
リセット信号ＲESは、表示期間Ｆが開始されるタイミング、つまり、一の表示期間Ｆの単位期間Ｐ２が終了し、当該一の表示期間Ｆに後続する他の表示期間Ｆの単位期間Ｐ１が開始されるタイミングにおいてハイレベルとなる信号である。演算部２４は、制御部２１から供給されるリセット信号ＲESの示す値がハイレベルとなると、記憶部２５が記憶する積算データＤS[1]〜ＤS[N]の内容を初期化する。
【００４１】
図４に示すように、補正部２６は、単位期間Ｐ１において（つまり、極性信号Ｐの示す極性が正極性である場合）、縦クロストーク補正を実行せずに、入力画像データＤin[n]に基づいて画像データＤx[n]を生成する。より具体的には、補正部２６は、単位期間Ｐ１において、入力画像データＤin[n]をそのまま画像データＤx[n]としてもよいし、電気光学パネル１０のＶＴ特性を示すルックアップテーブル（図示省略）を参照して入力画像データＤin[n]に対してガンマ補正を施すことで画像データＤx[n]を生成してもよい。
一方、補正部２６は、単位期間Ｐ２において（つまり、極性信号Ｐの示す極性が負極性である場合）、積算データＤS[n]を用いて入力画像データＤin[n]に対して縦クロストーク補正を施すことで画像データＤx[n]を生成する。例えば、補正部２６は、単位期間Ｐ２において、積算データＤS[n]の示す値に負の係数ｋを乗算した値「k*ＤS[n]」と入力画像データＤin[n]とを加算することで、画像データＤx[n]を生成してもよいし、当該加算値に対して更にガンマ補正を施すことで画像データＤx[n]を生成してもよい。
なお、積算データＤSの詳細については、後述する。
【００４２】
図４に示すように、光源制御信号Ｌcは、極性信号Ｐの示す極性が正極性である場合において、光源１２をオフ状態に制御するための値ＬcLを示し、負極性である場合において、光源１２をオン状態に制御するための値ＬcHを示す。
【００４３】
このように、信号生成回路２０は、単位期間Ｐ１において、光源１２をオフさせるとともに、入力画像データＤinに対する縦クロストーク補正を行わずに画像データＤxを生成する。また、信号生成回路２０は、単位期間Ｐ２において、光源１２をオンさせるとともに、入力画像データＤinに対して縦クロストーク補正を施すことで画像データＤxを生成する。
【００４４】
以下、図５及び図６を参照しつつ、積算部２３において実行される積算データＤS[n]の更新（生成）及び初期化について説明する。
図５は、記憶部２５が記憶する積算データＤS[n]の内容の一例を示す説明図である。また、図６は、演算部２４が実行する積算データＤS[n]の更新を説明するための説明図である。これらの図では、Ｍ＝６の場合、すなわち、各データ線３４に対応して６個（６行）の画素回路ＰXが設けられている場合を想定している。
【００４５】
図５に示すように、演算部２４は、表示期間Ｆが開始されるタイミングでリセット信号ＲESが供給されると、記憶部２５の記憶内容を初期化する。
なお、本実施形態において、初期化とは、記憶部２５の記憶する積算データＤS[n]の値に所定の初期値、例えば、「０」を設定する処理である。但し、初期化とは、例えば、記憶部２５の記憶内容を消去する（または、Ｎｕｌｌ値を設定する）処理であってもよい。
【００４６】
表示期間Ｆが開始されると、演算部２４は、記憶部２５が記憶する積算データＤS[n]に対して、入力画像データＤin[n]を加算または減算することで、積算データＤS[n]を更新する。演算部２４が、加算または減算のうち何れの演算を実行するかについては、極性信号Ｐの示す極性に基づいて定められる。
以下、演算部２４が行う、積算データＤS[n]を更新（生成）する処理の詳細について説明する。
【００４７】
図５に示すように、演算部２４は、極性信号Ｐが正極性を示す単位期間Ｐ１において、記憶部２５が記憶する積算データＤS[n]に対して入力画像データＤin[n]を加算することで積算データＤS[n]を更新する。
具体的には、演算部２４は、まず、単位期間Ｐ１が開始されるタイミングで、記憶部２５が記憶する積算データＤS[n]に初期値「０」を設定する。
次に、演算部２４は、単位期間Ｐ１において最初に供給される入力画像データＤin[n]である入力画像データＤin[1][n]が供給されると、入力画像データＤin[1][n]の示す値「d11」と、記憶部２５が記憶する積算データＤS[n]の値「０」とを加算し、当該加算値「d11」を積算データＤS[n]として記憶部２５に記憶させることで積算データＤS[n]を更新する。
次に、演算部２４は、入力画像データＤin[2][n]が供給されると、入力画像データＤin[2][n]の示す値「d12」と、記憶部２５が記憶する積算データＤS[n]の値「d11」とを加算し、当該加算値「d11+d12」を積算データＤS[n]として記憶部２５に記憶させることで積算データＤS[n]を更新する。以後、演算部２４は、単位期間Ｐ１が終了するまで同様の処理を繰り返す。
【００４８】
このように、単位期間Ｐ１が終了する時点で、記憶部２５には、図６（Ａ）に示すように、入力画像データＤin[n]を１単位期間だけ過去から現在まで積分した積分値Ｓ0（＝d11+d12+d13+d14+d15+d16）、すなわち、入力画像データＤin[1][n]〜Ｄin[6][n]の示す値「d11」〜「d16」の合計値が、積算データＤS[n]として記憶されている。換言すれば、単位期間Ｐ１が終了する時点で記憶部２５に記憶されている積算データＤS[n]は、画像信号ＶD[n]を１単位期間だけ過去から現在まで積分した積分値に対応する。
なお、上述のとおり、単位期間Ｐ１において、補正部２６は、演算部２４が更新した積算データＤS[n]を用いた縦クロストーク補正を実行しない。そのため、補正部２６は、演算部２４から積算データＤS[n]が供給されても、これを破棄する。
【００４９】
図５に示すように、演算部２４は、極性信号Ｐが負極性を示す単位期間Ｐ２において、記憶部２５が記憶する積算データＤS[n]から入力画像データＤin[n]の示す値を２倍した値を減算することで、積算データＤS[n]を更新する。
具体的には、演算部２４は、単位期間Ｐ２が開始され、単位期間Ｐ２において最初に供給される入力画像データＤin[n]である入力画像データＤin[1][n]が供給されると、入力画像データＤin[1][n]の示す値「d21」を２倍した値を、記憶部２５が記憶する積算データＤS[n]の値「d11+d12+d13+d14+d15+d16」から減算し、当該減算値「d11+d12+d13+d14+d15+d16- 2*d21」を新たな積算データＤS[1][n]として記憶部２５に記憶させることで積算データＤS[n]を更新する。
次に、演算部２４は、入力画像データＤin[2][n]が供給されると、入力画像データＤin[2][n]の示す値「d22」を２倍した値を、記憶部２５が記憶する積算データＤS[n]の値「d11+d12+d13+d14+d15+d16-2*d21」から減算し、当該減算値「d11+d12+d13+d14+d15+d16- 2*d21-2*d22」を新たな積算データＤS[2][n]としてとして記憶部２５に記憶させることで積算データＤS[n]を更新する。
以後、演算部２４は、単位期間Ｐ２が終了するまで同様の処理を繰り返す。そして、演算部２４は、単位期間Ｐ２が終了するタイミングで、または、単位期間Ｐ２が終了後のタイミングで、記憶部２５が記憶する積算データＤS[n]に初期値「０」を設定する。
【００５０】
表示部３０に表示される画像が静止画である場合、入力画像データＤinがある画素に対して単位期間Ｐ１において指定する表示階調と、単位期間Ｐ２において指定する表示階調とは等しい。
また、表示部３０に表示される画像が動画であり、画像の動きに伴う各画素の表示階調に変化が生じる場合であっても、単位期間（または表示期間）における各画素の表示階調の変化は、表示階調に変化が無いと看做せることができる程度に十分に小さいことが通常である。よって、表示部３０に表示される画像が動画である場合であっても、通常は、入力画像データＤinがある画素に対して単位期間Ｐ１において指定する表示階調と、単位期間Ｐ２において指定する表示階調とは、等しいと看做すことができる。
【００５１】
このように、単位期間Ｐ１における入力画像データＤin[1][n]の示す値「d11」は、単位期間Ｐ２における入力画像データＤin[1][n]の示す値「d21」と、等しいと看做すことができる。
よって、図６（Ａ）及び（Ｂ）に示すように、単位期間Ｐ２の開始時に記憶部２５に記憶されている積算データＤS[n]の示す値「d11+d12+d13+d14+d15+d16（＝積分値Ｓ0）」から入力画像データＤin[1][n]の示す値「d21」を減算した値は、値「d12+d13+d14+d15+d16」と等しいと看做すことができる。そして、値「d12+d13+d14+d15+d16」から、値「d21」を減算した値は、図６（Ｂ）に示す積分値Ｓ1＝「d12+d13+d14+d15+d16-d21」と等しいと看做すことができる。すなわち、積分値Ｓ1と、積算データＤS[1][n]とは、以下の式（１）に示すように、等しい値であると看做すことができる。
ＤS[1][n]  ≒  Ｓ1  （＝d12+d13+d14+d15+d16-d21）  ……  式（１）
【００５２】
同様に、図６または以下の式（２）〜式（６）に示すように、演算部２４が単位期間Ｐ２において生成する積算データＤS[2][n]〜ＤS[6][n]についても、積分値Ｓ2〜S6と等しいと看做すことができる。
ＤS[2][n]  ≒  Ｓ2  （＝d13+d14+d15+d16-d21-d22）  ……  式（２）
ＤS[3][n]  ≒  Ｓ3  （＝d14+d15+d16-d21-d22-d23）  ……  式（３）
ＤS[4][n]  ≒  Ｓ4  （＝d15+d16-d21-d22-d23-d24）  ……  式（４）
ＤS[5][n]  ≒  Ｓ5  （＝d16-d21-d22-d23-d24-d25）  ……  式（５）
ＤS[6][n]  ≒  Ｓ6  （＝-d21-d22-d23-d24-d25-d26）  ……  式（６）
【００５３】
このように、演算部２４が単位期間Ｐ２において生成する積算データＤS[n]の示す値は、入力画像データＤin[n]を１単位期間だけ過去から現在まで積分した積分値と、等しい値であると看做すことができる。換言すれば、演算部２４が単位期間Ｐ２において生成する積算データＤS[n]は、画像信号ＶD[n]を１単位期間だけ過去から現在まで積分した積分値に対応する。
【００５４】
以上に説明したように、本実施形態に係る電気光学装置１は、縦クロストーク補正を行う。この縦クロストーク補正を行うことによる効果を、図７を参照しつつ説明する。なお、図７では、電気光学装置１が、液晶素子６０に電圧が印加されていない状態において画素が黒表示となるノーマリーブラックモードである場合を想定する。
電気光学装置１の表示部３０に、図７（Ａ）に示すような、灰色の背景Ａｒ１の中に白色のウインドウＡｒ２を表した画像を、縦クロストーク補正を行わずに表示させると、図７（Ｂ）に示すような縦クロストークが発生する。
【００５５】
より具体的には、図７（Ｂ）に示すように、ウインドウＡｒ２の上部領域Ａｒ１ａには、本来表示されるべき灰色に比べて明るい色が表示される。これは、ウインドウＡｒ２に位置する画素回路に画像信号ＶD2が供給されるときに、上部領域Ａｒ１ａに位置する画素回路が保持している画像信号ＶD1aが、当該画像信号ＶD2と同極性であることに起因する。
また、図７（Ｂ）に示すように、ウインドウＡｒ２の下部領域Ａｒ１ｂには、本来表示されるべき灰色に比べて暗い色が表示される。これは、ウインドウＡｒ２に位置する画素回路に画像信号ＶD2が供給されるときに、下部領域Ａｒ１ｂに位置する画素回路が保持している画像信号ＶD1bが、当該画像信号ＶD2と逆極性であることに起因する。
【００５６】
これに対して、本実施形態では、縦クロストーク補正を行う。
具体的には、本実施形態に係る電気光学装置１では、入力画像データＤin[n]から、積算データＤS[n]の示す値に負の係数ｋを乗算した値を加算することで、画像データＤx[n]を生成し、当該画像データＤx[n]に基づいて生成される画像信号ＶD[n]が、各画素回路ＰXに供給される。
図６からも明らかなように、表示部３０の上部に位置する画素回路ＰXに対応する積算データＤS[n]（例えば、積算データＤS[1][n]）は、表示部３０の下部に位置する画素回路ＰXに対応する積算データＤS[n]（例えば、積算データＤS[6][n]）に比べて、正の大きな値を示す。
よって、例えば、図７に示す例において、上部領域Ａｒ１ａに位置する画素回路には、本来表示されるべき灰色よりも暗い色を表示するような画像信号ＶD1aが供給され、下部領域Ａｒ１ｂに位置する画素回路には、本来表示されるべき灰色よりも明るい色を表示するような画像信号ＶD1aが供給されることになる。その結果、図７（Ｂ）に示すような縦クロストークの発生を抑止し、図７（Ａ）に示すような、本来表示すべき画像を表示することが可能となる。
【００５７】
また、本実施形態に係る信号生成回路２０は、図４に示すように、単位期間Ｐ１において光源１２をオフし、単位期間Ｐ２において光源１２をオンするとともに縦クロストーク補正を行うように、電気光学装置１の動作を制御する。このような制御を行うことによる効果を、図８及び図９を参照しつつ説明する。
【００５８】
図８は、対比例１に係る電気光学装置の動作を示すタイミングチャートである。
この図に示すように、対比例１に係る電気光学装置は、単位期間Ｐ１及び単位期間Ｐ２の双方において、光源をオン状態に維持する。また、対比例１に係る電気光学装置は、単位期間Ｐ１において、縦クロストーク補正を行わない。そして、対比例１に係る電気光学装置は、単位期間Ｐ１において発生する縦クロストークが視認されることを抑制するために、単位期間Ｐ２において、本実施形態に係る電気光学装置１よりも「強力な」縦クロストーク補正を行う。ここで、「強力な」縦クロストーク補正とは、補正において用いられる補正値の大きさが、大きいことを意味する。
【００５９】
例えば、本実施形態において入力画像データＤinに対して施す縦クロストーク補正を以下の式（７）で表現する場合、対比例１に係る電気光学装置において施す縦クロストーク補正は、１よりも大きな係数αを用いて、以下の式（８）で表現することができる。
Ｄx[n]  ＝  Ｄin[n]  ＋  ｋ*ＤS[n]    ……  式（７）
Ｄx[n]  ＝  Ｄin[n]  ＋  α*ｋ*ＤS[n]    ……  式（８）
すなわち、対比例１に係る電気光学装置が単位期間Ｐ２で実行する補正における補正量の絶対値｜α*ｋ*ＤS[n]｜は、本実施形態に係る電気光学装置１が単位期間Ｐ２で実行する補正における補正量の絶対値｜ｋ*ＤS[n]｜よりも大きい。
【００６０】
図７（Ａ）に示すような灰色の背景に白色のウインドウを有する画像を表示させる場合、対比例１に係る電気光学装置では、図９（Ａ）に示すように、上部領域Ａｒ１ａには、単位期間Ｐ１において本来の灰色よりも明るい色が表示され、単位期間Ｐ２において本来の灰色よりも暗い色が表示される。また、下部領域Ａｒ１ｂには、単位期間Ｐ１において本来の灰色よりも暗い色が表示され、単位期間Ｐ２において本来の灰色よりも明るい色が表示される。
そのため、対比例１に係る電気光学装置では、上部領域Ａｒ１ａ及び下部領域Ａｒ１ｂにおいて、単位期間Ｐ１及び単位期間Ｐ２の間の階調差に起因したフリッカが生じる。
【００６１】
一方、本実施形態に係る電気光学装置１においても、ある１の画素に注目する場合には、対比例１に係る電気光学装置と同様に、単位期間Ｐ１及び単位期間Ｐ２の間で階調が変化する。
しかし、電気光学装置１は、図９（Ｂ）に示すように、単位期間Ｐ１において表示部３０の全面について光源１２をオフし、表示部３０に表示される画面全体を黒表示とするため、単位期間Ｐ１及び単位期間Ｐ２の間の階調の変化も、画面全体において生じる。そのため、画面の一部分において階調の変化が生じる場合のように、当該階調の変化が目立つことはなく、当該階調の変化がフリッカとして視認されることもない。よって、本実施形態では、単位期間Ｐ１及び単位期間Ｐ２の間の階調差がフリッカとして視認されることを防止することができる。
また、本実施形態に係る電気光学装置１は、表示期間Ｆの約半分の期間において、光源１２をオフするため、光源１２の劣化を防止するとともに、画素回路ＰXを含む電気光学パネル１０の劣化を防止し、表示期間Ｆの全期間において光源１２がオンする対比例１と比較して、電気光学装置１の長寿命化が可能となる。
【００６２】
なお、表示部３０に表示される画像が動画である場合には、ある画素に対して入力画像データＤinが単位期間Ｐ１において指定する表示階調と、当該ある画素に対して入力画像データＤinが単位期間Ｐ２において指定する表示階調とが、大きく異なることがある。この場合、積算データＤS[n]の示す値と、入力画像データＤin[n]を１単位期間だけ過去から現在まで積分した積分値とは、異なる値となる。つまり、この場合、当該積算データＤS[n]を用いて、入力画像データＤinに対する縦クロストーク補正を施しても、縦クロストークの発生を有効に抑えることができない。
しかし、本実施形態に係る電気光学装置１は、表示期間Ｆの開始（または終了）のタイミングで、記憶部２５の記憶内容を初期化する。よって、積算データＤS[n]の示す値が、入力画像データＤin[n]を１単位期間だけ過去から現在まで積分した積分値とは異なる値、つまり、縦クロストーク補正に適さない値であっても、当該積算データＤS[n]は、表示期間Ｆの終了時に破棄される。よって、仮に、ある表示期間Ｆにおいて、積算データＤS[n]が補正に適さない値であることに起因して、正確な縦クロストーク補正ができない場合であっても、当該ある表示期間Ｆに後続する表示期間Ｆでは、新たな積算データＤS[n]に基づいて正確な縦クロストーク補正を実行することが可能となる。換言すれば、不正確な積算データＤS[n]に基づいた補正が複数の表示期間Ｆに亘り継続的に行われることを抑止することができる。
【００６３】
ところで、本実施形態に係る電気光学装置１では、単位期間Ｐ１では光源１２をオフ状態とすることで、単位期間Ｐ２においてのみ縦クロストーク補正をおこなうものであるが、単位期間Ｐ１及び単位期間Ｐ２の双方で縦クロストーク補正を実行する態様も想定される。
しかし、単位期間Ｐ１及び単位期間Ｐ２の双方で縦クロストーク補正を実行する場合、単位期間Ｐ１において実行される縦クロストーク補正に用いる積算データＤS[n]を演算し記憶するための演算部２４及び記憶部２５と、単位期間Ｐ２において実行される縦クロストーク補正に用いる積算データＤS[n]を演算し記憶するための演算部２４及び記憶部２５とからなる、２つの積算部２３を備えることが必要となる。
これに対して、本実施形態に係る電気光学装置１は、単位期間Ｐ２においてのみ縦クロストーク補正を実行するため、単位期間Ｐ２において実行される縦クロストーク補正に用いる積算データＤS[n]を演算し記憶するための１つの積算部２３のみを備えればよく、単位期間Ｐ１及び単位期間Ｐ２の双方で縦クロストーク補正を実行する場合と比較して、回路規模や製造コストを低減できる。
【００６４】
＜Ｂ．第２実施形態＞  
第１実施形態に係る電気光学装置１は、表示期間Ｆが単位期間Ｐ１及び単位期間Ｐ２の２つの単位期間に区分される、いわゆる２倍速駆動であった。
これに対して、第２実施形態に係る電気光学装置は、表示期間Ｆが４つの単位期間に区分される、いわゆる４倍速駆動である点で、第１実施形態に係る電気光学装置１と相違する。以下、図１０を参照しつつ、第２実施形態に係る電気光学装置について説明する。
【００６５】
第２実施形態に係る電気光学装置は、図４に示すような２倍速駆動で動作する代わりに、図１０に示すように４倍速駆動で動作する点を除き、図１乃至図３に示す第１実施形態に係る電気光学装置１と同様に構成される。
以下では、第２実施形態に係る電気光学装置について、作用や機能が第１実施形態と同等である要素については、第１実施形態の説明で参照した符号を流用して各々の詳細な説明を適宜に省略する（以下に例示する各形態についても同様とする）。
【００６６】
図１０は、第２実施形態に係る電気光学装置が備える信号生成回路２０の動作を示すタイミングチャートである。
この図に示すように、第２実施形態に係る電気光学装置の動作期間を構成する複数の表示期間Ｆの各々は、単位期間Ｐ１、単位期間Ｐ１に後続する単位期間Ｐ２、単位期間Ｐ２に後続する単位期間Ｐ３（「第３の単位期間」の一例）、及び、単位期間Ｐ３に後続する単位期間Ｐ４（「第４の単位期間」の一例）の、互いに等しい時間長の４つの単位期間に区分される。
【００６７】
図１０に示すように、第２実施形態において、極性信号Ｐは、単位期間Ｐ１及び単位期間Ｐ３でハイレベルとなり、単位期間Ｐ２及び単位期間Ｐ４でローレベルとなる。すなわち、第２実施形態に係るデータ線駆動回路４４は、単位期間Ｐ１及び単位期間Ｐ３で正極性の画像信号ＶD[n]を生成し、単位期間Ｐ２及び単位期間Ｐ４で負極性の画像信号ＶD[n]を生成する。
また、第２実施形態において、リセット信号ＲESは、表示期間Ｆが開始されるタイミング、つまり、一の表示期間Ｆの単位期間Ｐ４が終了し、当該一の表示期間Ｆに後続する他の表示期間Ｆの単位期間Ｐ１が開始されるタイミングにおいてハイレベルとなる。また、第２実施形態に係る演算部２４は、リセット信号ＲESがハイレベルとなるタイミングで、記憶部２５が記憶する積算データＤS[1]〜ＤS[N]の内容を初期化する。
【００６８】
第２実施形態に係る光源制御部２２は、制御部２１が生成する制御信号Ｃtrに基づいて、光源制御信号Ｌcを生成して、これを光源１２に供給する。
図１０に示すように、第２実施形態において、光源制御信号Ｌcは、単位期間Ｐ１において、光源１２をオフ状態に制御するための値ＬcLを示し、単位期間Ｐ２の開始から単位期間Ｐ４が終了するまでの期間において、光源１２をオン状態に制御するための値ＬcHを示す。よって、第２実施形態に係る光源１２は、単位期間Ｐ１においてオフ状態となり、単位期間Ｐ２の開始から単位期間Ｐ４が終了するまでの期間においてオン状態となる。
【００６９】
図１０に示すように、第２実施形態に係る補正部２６は、光源１２がオンしている期間（単位期間Ｐ２、単位期間Ｐ３、及び、単位期間Ｐ４）において、縦クロストーク補正を行い、光源１２がオフしている期間（単位期間Ｐ１）において、縦クロストーク補正を行わない。
第２実施形態に係る積算部２３は、単位期間Ｐ１において、図５の単位期間Ｐ１と同様に、記憶部２５が記憶する積算データＤS[n]に対して入力画像データＤin[n]を加算することで積算データＤS[n]を更新し、単位期間Ｐ２の開始から単位期間Ｐ４の終了までの期間において、図５の単位期間Ｐ２と同様に、記憶部２５が記憶する積算データＤS[n]から入力画像データＤin[n]の示す値を２倍した値を減算することで、積算データＤS[n]を更新する。
【００７０】
上述した第１実施形態に係る電気光学装置１では、表示期間Ｆを構成する２つの単位期間のうち、１つの単位期間で光源１２をオンさせる。すなわち、光源１２がオンしている期間は、電気光学装置１の動作期間の半分の期間にすぎなかった。
一方、第２実施形態に係る電気光学装置は、表示期間Ｆを構成する４つの単位期間のうち、３つの単位期間において、光源１２をオンさせる。つまり、第２実施形態では、電気光学装置の動作期間の約７５％の期間において、光源１２がオン状態を維持することになる。そのため、第２実施形態に係る電気光学装置は、第１実施形態に比べて、表示部３０が表示する画像の明るさを明るくすることができる。
【００７１】
また、第２実施形態に係る電気光学装置は、第１実施形態に係る電気光学装置１と同様に、ＬＥＤを用いた光源１２を備える。電気光学装置１がＬＥＤを用いた光源１２を備えることによる効果を、図１１及び図１２を参照しつつ説明する。
図１１は、第２実施形態に係る光源１２及び液晶６６の動作を示すタイミングチャートである。
図１１（Ａ）に示すように、画素回路ＰXに対して、画像データＤxに対応する画像信号ＶD[n]が供給されてから、当該画素回路ＰXの液晶６６の透過率が、当該画像データＤxの指定する階調に対応する透過率Ｔdxとなるまでの時間を、時間Δｔｂとする。また、図１１（Ｂ）に示すように、光源１２のオン状態における輝度をＬ1としたとき、光源１２が、オフ状態から輝度Ｌ1で発光する状態となるまでの時間を、時間Δｔａとする。通常、ＬＥＤの応答速度は、液晶６６の応答速度よりも早い。よって、時間Δｔａは、時間Δｔｂに比べて短い。そのため、第２実施形態（及び、第１実施形態）のように、単位期間Ｐ１で光源１２をオフさせる場合であっても、単位期間Ｐ２が開始されれば速やかに光源１２をオンさせることができる。
また、図１１に示すように、光源１２が輝度Ｌ1で発光する状態となる時刻ｔａは、液晶６６の透過率が画像データＤxに対応する透過率Ｔdxとなる時刻ｔｂよりも早く、単位期間Ｐ２が開始された後の時刻である。よって、画素の表示する階調は、時刻ｔｂにおいて、画像データＤxの指定する階調となる。
【００７２】
図１２は、対比例２に係る電気光学装置が備える光源及び液晶の動作を示すタイミングチャートである。対比例２に係る電気光学装置は、陰極管を用いた光源を備える。
図１２（Ｂ）に示すように、対比例２に係る電気光学装置は、光源をオン状態に維持する。そのため、よって、画素の表示する階調は、時刻ｔｂにおいて、画像データＤxの指定する階調となる。
【００７３】
対比例２に係る電気光学装置において、表示期間Ｆが開始されてから、画素が画像データＤxの指定する階調を表示するまでの期間Δｔx2の時間長は、１単位期間の時間長よりも長い。当該期間Δｔx2において、各画素は、画像データＤxが指定する階調を正確に表示できないため、対比例２に係る電気光学装置の表示部に動画を表示させる場合等には、表示が不鮮明になる。
一方、第２実施形態に係る電気光学装置において、光源１２がオン状態となり画素が黒以外の色を表示することができるようになった時から、画像データＤxの指定する階調を表示するまでの期間Δｔx1は、期間Δｔx2よりも短い。そのため、第２実施形態に係る電気光学装置では、表示部３０に動画などを表示する場合等、画素の表示する階調が表示期間Ｆ毎に変化する場合にも、対比例２に係る電気光学装置に比べて、変化後の階調を正確に表示することができ、鮮明な表示が可能となる。
なお、第1実施形態に係る電気光学装置１も、ＬＥＤを用いた光源１２を備える。よって、これら第２実施形態に係る電気光学装置がＬＥＤを用いた光源１２を備えることによる効果は、第1実施形態に係る電気光学装置１についても該当する。
【００７４】
＜Ｃ．変形例＞  
以上の各形態は多様に変形され得る。具体的な変形の態様を以下に例示する。以下の例示から任意に選択された２以上の態様は、相互に矛盾しない範囲内で適宜に併合され得る。
【００７５】
＜変形例１＞
上述した実施形態では、単位期間Ｐ１において光源１２をオフ状態としたが、本発明はこのような態様に限定されるものではなく、単位期間Ｐ１において、光源１２をオフ状態とするかわりに、画素に黒を表示させるものであってもよい。
【００７６】
図１３は、変形例１に係る電気光学装置が備える信号生成回路の動作を示すタイミングチャートである。
変形例１に係る電気光学装置は、単位期間Ｐ１において、入力画像データＤinに基づいて画像データＤxを生成する代わりに、黒表示に対応する画像データＤxを生成する点で、第１実施形態に係る電気光学装置１と相違する。また、変形例１に係る電気光学装置は、単位期間Ｐ１において、光源制御信号Ｌcを値ＬcLに設定する代わりに、値ＬcHに設定する点で、第１実施形態に係る電気光学装置１と相違する。これら２つの相違点を除き、変形例１に係る電気光学装置は、図１乃至図３に示す第１実施形態に係る電気光学装置１と同様に構成されている。よって、変形例１では、図１乃至図３に示す符号を流用して説明する。
【００７７】
図１３に示すように、変形例１に係る電気光学装置は、単位期間Ｐ１において縦クロストーク補正を行わず、また、単位期間Ｐ１において光源１２がオン状態となるように制御する。
この変形例１に係る電気光学装置では、単位期間Ｐ１において、補正部２６が、黒表示に対応する値Ｄblkを示す画像データＤxを生成することで、表示部３０が備える画素に黒を表示させるように制御するため、単位期間Ｐ１において縦クロストークが視認されることを防止することができる。
また、変形例１に係る電気光学装置の補正部２６は、単位期間Ｐ１において縦クロストーク補正を行わず、単位期間Ｐ２においてのみ縦クロストーク補正を行うため、単位期間Ｐ１の開始するタイミングで記憶部２５を初期化することができ、不正確な積算データＤS[n]に基づいた補正が複数の表示期間Ｆに亘り継続的に行われることを抑止することができる。
また、変形例１に係る電気光学装置は、単位期間Ｐ２においてのみ縦クロストーク補正を行うため、単位期間Ｐ１及び単位期間Ｐ２の双方で縦クロストーク補正を行う場合と比較して、回路規模や製造コストを低減できる。
なお、変形例１に係る電気光学装置の積算部２３は、第１実施形態に係る積算部２３と同様に、単位期間Ｐ１及び単位期間Ｐ２において、入力画像データＤin等に基づいて、積算データＤS[n]を更新する。そのため、補正部２６は、単位期間Ｐ２において、積算部２３が生成する積算データＤS[n]を用いた縦クロストーク補正を行うことができる。
【００７８】
＜変形例２＞
上述した実施形態及び変形例に係るデータ線駆動回路４４は、単位期間Ｐ１において、画像データＤxに基づいて生成される画像信号ＶD[n]をデータ線３４を介して各画素回路ＰXに対して供給するものであるが、本発明はこのような態様に限定されるものではなく、単位期間Ｐ１のうち、一部または全部の期間において、所定のプリチャージ電位または所定のリセット電位を、データ線３４に供給してもよい。
【００７９】
＜変形例３＞
上述した実施形態及び変形例に係る電気光学装置は、周期的に画像信号ＶD[n]の極性を反転させるものであるが、本発明はこのような態様に限定されるものではなく、所定の規則に基づいて画像信号ＶD[n]の極性を反転させるものであればよい。
例えば、各表示期間Ｆ内において画像信号ＶD[n]の極性を単位期間の周期で反転させ、且つ、奇数番目の表示期間Ｆ１の単位期間Ｐ１における画像信号ＶD[n]の極性と、偶数番目の表示期間Ｆ２の単位期間Ｐ１における画像信号ＶD[n]の極性とが、逆極性となるように、画像信号ＶD[n]の極性を反転させるものであってもよい。
【００８０】
図１４は、変形例３に係る電気光学装置が備える信号生成回路の動作を示すタイミングチャートである。
変形例３に係る電気光学装置は、画像信号ＶD[n]の極性（極性信号Ｐの示す値）が単位期間の周期で反転する代わりに、所定の規則に基づいて反転する点を除き、図１乃至図３に示す第１実施形態に係る電気光学装置１と同様に構成されている。よって、変形例３では、図１乃至図３に示す符号を流用して説明する。
【００８１】
図１３に示すように、変形例３に係る電気光学装置では、極性信号Ｐの示す値が、奇数番目の表示期間Ｆ１の単位期間Ｐ１においてハイレベルとなり、奇数番目の表示期間Ｆ１の単位期間Ｐ２においてローレベルとなり、偶数番目の表示期間Ｆ２の単位期間Ｐ１においてローレベルとなり、偶数番目の表示期間Ｆ２の単位期間Ｐ２においてハイレベルとなる。
例えば、変形例２のように、単位期間Ｐ１において所定のプリチャージ電位または所定のリセット電位が、データ線３４に対して供給される場合において、全ての表示期間Ｆの単位期間Ｐ１における画像信号ＶD[n]の極性が正極性であるとき、表示部３０における極性バランスが崩れ、表示品位が低下する。
これに対して、変形例３のように、単位期間Ｐ１の極性を表示期間Ｆ毎に変化させることで、単位期間Ｐ１において、所定のプリチャージ電位等をデータ線３４に印加する場合であっても、表示部３０における極性バランスを良好に保つことが可能となる。
【００８２】
なお、図１４に示す例は、２倍速駆動の場合を想定しているが、変形例３に係る電気光学装置は、図１５に示すような４倍速駆動に対しても適用することができる。
図１５に示す例は、図１４と同様、奇数番目の表示期間Ｆ１の単位期間Ｐ１における画像信号ＶD[n]の極性と、偶数番目の表示期間Ｆ２の単位期間Ｐ１における画像信号ＶD[n]の極性とが、逆極性となる。そのため、表示部３０の極性バランスを良好に保つことが可能となる。
【００８３】
なお、図１４に示す例の場合、例えば、ある表示期間Ｆの単位期間Ｐ２の開始から、当該ある表示期間Ｆに後続する表示期間Ｆの単位期間Ｐ１の終了までの期間ΔＰ１において、画像信号ＶD[n]が同一の極性（例えば負極性）に維持される。期間ΔＰ１は、表示期間Ｆと等しい長さの期間であるため、焼き付き等が生じ、表示部３０の表示品位が低下することが懸念される。
それに対して、図１５に示す例の場合、ある表示期間Ｆの単位期間Ｐ４の開始から、当該ある表示期間Ｆに後続する表示期間Ｆの単位期間Ｐ１の終了までの期間ΔＰ２において、画像信号ＶD[n]が同一極性に維持されるが、期間ΔＰ２は、表示期間Ｆよりも短い長さの期間であるため、焼き付き等の発生する確率を低く抑えることが可能であり、表示品位の低下を抑止することができる。
【００８４】
＜変形例４＞
上述した実施形態及び変形例に係る電気光学装置は、光源１２をオンさせる際に、光源１２の輝度が所定の輝度Ｌ1へと徐々に高まるように光源１２を制御するが、本発明はこのような態様に限定されるものではなく、図１６（Ｂ）に示すように、光源１２をオンさせる際に、まず、光源１２を、輝度Ｌ1よりも高い輝度Ｌ2で発光させ、次に、単位期間Ｐ２の開始から所定の時間Δｔｃが経過すると、光源１２の輝度を輝度Ｌ1に収束させるように、光源１２を制御するものであってもよい。すなわち、電気光学装置は、光源１２をオンする際に、オーバーシュートを生じさせるように光源１２の輝度を制御してもよい。
変形例４に係る電気光学装置では、図１６（Ｃ）に示すように、図１１（Ｃ）示すようなオーバーシュートを生じさせない場合と比較して、表示部３０に表示される画像の明るさを明るくすることができ、単位期間Ｐ１において光源１２をオフする場合であっても、十分な明るさを確保することができる。
【００８５】
＜Ｄ．応用例＞
以上の各形態に例示した電気光学装置１は、各種の電子機器に利用され得る。図１７から図１９には、電気光学装置１を採用した電子機器の具体的な形態が例示されている。
【００８６】
図１７は、電気光学装置１を適用した投射型表示装置（３板式のプロジェクター）４０００の模式図である。投射型表示装置４０００は、相異なる表示色（赤色，緑色，青色）に対応する３個の電気光学装置１（１０R，１０G，１０B）を含んで構成される。照明光学系４００１は、照明装置（光源）４００２からの出射光のうち赤色成分ｒを電気光学装置１Rに供給し、緑色成分ｇを電気光学装置１Gに供給し、青色成分ｂを電気光学装置１Bに供給する。各電気光学装置１は、照明光学系４００１から供給される各単色光を表示画像に応じて変調する光変調器（ライトバルブ）として機能する。投射光学系４００３は、各電気光学装置１からの出射光を合成して投射面４００４に投射する。観察者は、投射面４００４に投射された画像を視認する。
【００８７】
図１８は、電気光学装置１を採用した可搬型のパーソナルコンピューターの斜視図である。パーソナルコンピューター２０００は、各種の画像を表示する電気光学装置１と、電源スイッチ２００１やキーボード２００２が設置された本体部２０１０とを具備する。
【００８８】
図１９は、電気光学装置１を適用した携帯電話機の斜視図である。携帯電話機３０００は、複数の操作ボタン３００１およびスクロールボタン３００２と、各種の画像を表示する電気光学装置１とを備える。スクロールボタン３００２を操作することによって、電気光学装置１に表示される画面がスクロールされる。
【００８９】
なお、本発明に係る電気光学装置が適用される電子機器としては、図１７から図１９に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンター，スキャナー，複写機，ビデオプレーヤー，タッチパネルを備えた機器等などが挙げられる。
【符号の説明】
【００９０】
１……電気光学装置、１０……電気光学パネル、１２……光源、２０……信号生成回路、２１……制御部、２２……光源制御部、２３……積算部、２４……演算部、２５……記憶部、２６……補正部、３０……表示部、３２……走査線、３４……データ線、４０……駆動回路、４２……走査線駆動回路、４４……データ線駆動回路、５０……表示制御回路、６０……液晶素子、６６……液晶、ＰX……画素回路。
【図１】
2014178408.tif 000003
【図２】
2014178408.tif 000004
【図３】
2014178408.tif 000005
【図４】
2014178408.tif 000006
【図５】
2014178408.tif 000007
【図６】
2014178408.tif 000008
【図７】
2014178408.tif 000009
【図８】
2014178408.tif 000010
【図９】
2014178408.tif 000011
【図１０】
2014178408.tif 000012
【図１１】
2014178408.tif 000013
【図１２】
2014178408.tif 000014
【図１３】
2014178408.tif 000015
【図１４】
2014178408.tif 000016
【図１５】
2014178408.tif 000017
【図１６】
2014178408.tif 000018
【図１７】
2014178408.tif 000019
【図１８】
2014178408.tif 000020
【図１９】
2014178408.tif 000021